(57)【要約】【課題】作業者が手持操作器を両手で保持したまま、親指だけでその操作の多くを実行できる手持操作器を提供する。【解決手段】表示画面（４）の下部に操作入力手段（５）を備え、操作入力手段（５）の左右の側部に把持部（６）を備え、左右の把持部（６）をそれぞれ作業者の左手および右手で把持した時に、前記作業者の左手および右手の親指が届く範囲に十字カーソルキー（７）と選択キー（８）を備える。両手で手持操作器を保持したまま操作できるので、作業者の疲労が少なく、また手ブレも少ないので表示画面（４）を視認しやすい。【選択図】図１
2005342891.tif 000002
【特許請求の範囲】
【請求項１】
文字または図形を表示する表示画面と、左右の側部に配置された把持部と、を備えたロボットの手持操作器において、
左右の前記把持部をそれぞれ作業者の左手および右手で把持した時に、前記作業者の左手または右手の親指が届く範囲に配置された前記マニピュレータの速度調整ダイヤルを備え、
前記速度調整ダイヤルを一方向に回転させると前記マニピュレータの動作速度が高速になり、他方向に回転させると前記マニピュレータの動作速度が低速になることを特徴とする産業用ロボットの手持操作器。
【請求項２】
操作メニューを表示する表示画面と、前記表示画面に表示されるカーソルを移動させる４個のキーと前記カーソルで指定された前記操作メニュー項目の実行を入力する選択キーとを含む操作入力手段と、左右の側部に配置された把持部と、を備えた産業用ロボットの手持操作器において、
前記４個のキーは、左右の前記把持部をそれぞれ作業者の左手および右手で把持した時に、前記作業者の左手親指が届く範囲に配置され、マニピュレータの軸動作を入力する機能を持つことを特徴とする産業用ロボットの手持操作器。
【請求項３】
前記４個のキーは、十字カーソルキーまたは略十字型にスイッチが配置されたカーソルキーであることを特徴とする請求項２記載の産業用ロボットの手持操作器。
【請求項４】
左右の前記把持部をそれぞれ作業者の左手および右手で把持した時に、
前記作業者の左手または右手の親指が届く範囲に前記マニピュレータの速度調整手段を配置したことを特徴とする請求項２乃至３いずれかに記載の産業用ロボットの手持操作器。
【請求項５】
文字または図形を表示する表示画面と、左右の側部に配置された把持部と、左右の前記把持部をそれぞれ作業者の左手および右手で把持した時に、前記作業者の左手または右手の親指が届く範囲に配置された前記マニピュレータの速度調整ダイヤルと、を備え、前記速度調整ダイヤルを一方向に回転させると前記マニピュレータの動作速度が高速になり、他方向に回転させると前記マニピュレータの動作速度が低速になる産業用ロボットの手持操作器と、
前記手持操作器が接続される制御盤と、
前記制御盤に接続される産業用ロボットと、を備えたことを特徴とするロボット制御システム。
【発明の詳細な説明】
【技術分野】
【０００１】
本発明は、手持操作器、特にロボットの教示作業に使用する手持操作器に関する。
【背景技術】
【０００２】
従来の産業用ロボットは次のように構成されている。図５は従来の産業ロボットの構成を示す構成図である。図５において、１はマニピュレータであり、２は制御盤であり、３は一般にティーチングボックスと呼ばれる手持操作器である。マニピュレータ１と制御盤２と手持操作器３は互いにケーブルで結合されている。制御盤２には入力部２ａと表示部２ｂが備えられている。入力部２ａは、ロボットの起動停止、各種パラメータの設定、プログラムの作成編集を行なうスイッチ類から構成されている。表示部２ｂはＣＲＴ表示器を備え、ロボットのプログラムや動作状態を文字または記号で表示する。手持操作器３には入力部３ａと表示部３ｂが備えられている。入力部３ａは、マニピュレータ１の動作を入力するための操作入力手段であり、多数のスイッチ類を配置したキーボードである。表示部３ｂは、ロボットの制御状態等を文字または記号で表示する表示画面である。ロボットの教示を行なう作業者は、片手で手持操作器３を保持して、別の手で入力部３ａを操作するようになっている。
【０００３】
近年はロボットの機能の高度化に対応するとともに、教示作業を容易にするために、従来、制御盤２と手持操作器３に分かれていた入力部２ａと入力部３ａ、表示部２ｂと表示部３ｂの機能を、手持操作器３の入力部３ａと表示部３ｂに集約した構成が主流になりつつある。つまり、マニピュレータ１の動作の入力から、プログラムの作成編集までのすべての作業を、手持操作器３で処理するのである。
【発明の開示】
【発明が解決しようとする課題】
【０００４】
ところが、このように入力部と表示部を手持操作器に集約すると、手持操作器は必然的に大型化する傾向にある。特に、表示部は、より多くの情報の表示が求められるので、更に大きくなる傾向がある。手持操作器が大型化すると、片手による保持が難しくなり、作業者の疲労が増すという問題がある。また片手による保持は不安定であり、手ブレが発生しやすく、表示部の視認が難しくなり、作業者の眼の疲労が増すという問題もある。そこで、本発明は両手で保持したまま、その操作の多くを実行できる手持操作器を提供することを目的とする。
【課題を解決するための手段】
【０００５】
上記の問題を解決するために、本発明は、次のように構成したのである。
請求項１に記載の発明は、文字または図形を表示する表示画面と、左右の側部に配置された把持部と、を備えたロボットの手持操作器において、左右の前記把持部をそれぞれ作業者の左手および右手で把持した時に、前記作業者の左手または右手の親指が届く範囲に配置された前記マニピュレータの速度調整ダイヤルを備え、前記速度調整ダイヤルを一方向に回転させると前記マニピュレータの動作速度が高速になり、他方向に回転させると前記マニピュレータの動作速度が低速になることを特徴とするものである。
請求項２に記載の発明は、操作メニューを表示する表示画面と、前記表示画面に表示されるカーソルを移動させる４個のキーと前記カーソルで指定された前記操作メニュー項目の実行を入力する選択キーとを含む操作入力手段と、左右の側部に配置された把持部と、を備えた産業用ロボットの手持操作器において、前記４個のキーは、左右の前記把持部をそれぞれ作業者の左手および右手で把持した時に、前記作業者の左手親指が届く範囲に配置され、マニピュレータの軸動作を入力する機能を持つことを特徴とするものである。
請求項３に記載の発明は、前記４個のキーは、十字カーソルキーまたは略十字型にスイッチが配置されたカーソルキーであることを特徴とするものである。
請求項４に記載の発明は、左右の前記把持部をそれぞれ作業者の左手および右手で把持した時に、前記作業者の左手または右手の親指が届く範囲に前記マニピュレータの速度調整手段を配置したことを特徴とするものである。
請求項５に記載の発明は、文字または図形を表示する表示画面と、左右の側部に配置された把持部と、左右の前記把持部をそれぞれ作業者の左手および右手で把持した時に、前記作業者の左手または右手の親指が届く範囲に配置された前記マニピュレータの速度調整ダイヤルと、を備え、前記速度調整ダイヤルを一方向に回転させると前記マニピュレータの動作速度が高速になり、他方向に回転させると前記マニピュレータの動作速度が低速になる産業用ロボットの手持操作器と、前記手持操作器が接続される制御盤と、前記制御盤に接続される産業用ロボットと、を備えたことを特徴とするものである。
【発明の効果】
【０００６】
以上述べたように、本発明によれば、手持操作器を作業者が両手で保持したまま、作業者の親指だけで多くの操作ができるので、操作の能率が向上し、作業者の疲労も少ないという効果がある。また、手持操作器を両手で安定して保持するので、手ブレが小さく表示部を視認しやすいという効果もある。
【発明を実施するための最良の形態】
【０００７】
以下、本発明の実施例を図に基づいて説明する。
【実施例１】
【０００８】
図１は本発明の第１の実施例を手持操作器の平面図である。以下、図１に従って本発明の第１の実施例を説明する。図１において、３は手持操作器である。手持操作器３は、表示部４と入力部５と把持部６からなる。表示部４は文字および図形を表示する表示画面であり、手持操作器３の上部に配置されている。入力部５は表示部４の下部に配置され、入力部５の左右の側部には把持部６が設けられている。入力部５には、十字カーソルキー７と選択キー８が設けられている。十字カーソルキー７と選択キー８は、作業者が、手の第２指から第５指を把持部６の裏面に添え、掌を把持部６の表面に当てがって手持操作器３を保持するときに、前記作業者の手の第１指（親指）が届く範囲に配置されている。十字カーソルキー７は内部に図示しない４個の接点を持ち、上部７ａを押すと、表示部４に表示されるカーソルが画面の上方に移動する。同様に、右部７ｂ、下部７ｃおよび左部７ｄを押すと、前記カーソルが画面の右方、下方および左方に移動する。
【０００９】
次に、この手持操作器３による操作の手順を説明する。図２は手持操作器３の表示部４に表示される操作メニューであり、（ａ）は第１の操作メニューであり、（ｂ）は前記第１の操作メニューのカーソルを移動させた状態を示す図であり、（ｃ）は第２の操作メニューであり、（ｄ）は前記第２の操作メニューのカーソルを移動させた状態を示す図である。制御盤２に電源を投入すると、手持操作器３にも電源が入る。この時に表示部４に表示される操作メニューが図２（ａ）に示す第１の操作メニューである。図２（ａ）において、９は、操作メニューの各項目を示すアイコンであり、各項目の内容を直感的に理解できるような絵表示を行なっている。ここで、カーソルは左端上部の「ジョブ内容」の位置にある。カーソルの置かれた項目は白黒反転した文字または図形で表示される。今、前記第１の操作メニューの項目のうち、「変数」を選ぶために、十字カーソルキー７を操作する。すなわち、右部７ｂと下部７ｃの中間部を１回押すと、前記カーソルは右下に移動し、図２（ａ）の表示が図２（ｂ）の表示に変わる。さらに、選択キー８を押すと、「変数」の下位のメニュー、すなわち図２（ｃ）に示される第２の操作メニューが表示される。図２（ｃ）において、１０は前記第１の操作メニューの「変数」の項目をさらに分けた小項目を示す文字による表示である。前記第１の操作メニューからこの第２の操作メニューに移ると、カーソルは画面の左端最上部の「バイト型変数」の位置にある。今、前記第２の操作メニューの項目のうち、「位置型変数ベース」を選ぶために、、十字カーソルキー７の右部７ｂと下部７ｃの中間部を１回押すと、前記カーソルは右下に移動し、図２（ｃ）の表示が図２（ｄ）の表示に変わる。以上のように、十字カーソルキー７と選択キー８の操作の繰り返しによって、所望の操作項目を選んで操作を行なうことが出来る。
【００１０】
また、十字カーソルキー７は、カーソルの移動だけでなく、マニピュレータの動作の入力に使用する事も出来る。入力部５からの入力により、十字カーソルキー７をカーソル移動のモードから、動作入力のモードに切り替え、十字カーソルキー７とマニピュレータ１の動作の関係を定義する。例えば、上部７ａを押せばマニピュレータ１が上に動き、下部７ｃを押せば下に動き、右部７ｂを押せば右に動き、左部７ｄを押せば左に動くように定義する。このようにして、マニピュレータ１を十字カーソルキー７の操作によって、上下左右に動かせる。十字カーソルキー１個では、２自由度の動作の入力ができるが、一般に、マニピュレータ１は少なくとも６自由度（３移動、３回転）を持つ。６自由度の動作の入力を十字カーソルキー７で行なうために、入力部５に切り替えスイッチを設けて十字カーソルキー７の設定を３通りに切り替えてもよい。また十字カーソルキーを３個備えた構成も選択できる。
【００１１】
図３はこの第１の実施例の手持操作器３の内部回路のブロック図である。手持操作器３は制御盤２との間で信号のやり取りを行なうが、制御盤２との間の接続は省略している。図３において、１２は中央演算部であり、手持操作器３の入出力を制御する回路である。１３はキー入力部であり、十字カーソルキー７、選択キー８および入力部５のその他のキーの入力を受けて、信号を中央演算部１２へ送る回路である。１４はカーソル制御部であり、中央演算部１２の指令によりカーソルの移動を行なう回路である。１５はメニュー制御部であり、操作メニュー表示の為のフォントデータを持ち、中央演算部１２の指令により操作メニューの制御を行なう回路である。１６は表示制御部であり、中央演算部１２、カーソル制御部１４およびメニュー制御部１５の指令により、表示画面の画像を表示部４に出力する回路である。
【実施例２】
【００１２】
図４は本発明の第２の実施例を示す手持操作器３の平面図である。手持操作器３は、前記第１の実施例の十字カーソルキー７と選択キー８に加えて、速度調整ダイヤル１１を、作業者が手持操作器３を保持したまま、親指で操作できるように備えている。速度調整ダイヤル１１はマニピュレータ１の速度調整手段であり、右に回転させるとマニピュレータ１の教示時の動作速度が高速になり、左に回転させると低速になる。したがって、マニピュレータ１の教示の際、精度をあまり必要としない移動動作の時は高速を、精度を要する位置決め動作は低速を選んで、能率よく教示することができる。
【図面の簡単な説明】
【００１３】
【図１】本発明の第１の実施例を示す手持操作器の平面図である。
【図２】本発明の第１の実施例を示す手持操作器の操作メニューの図であり、（ａ）は第１の操作メニューであり、（ｂ）は前記第１の操作メニューのカーソルを移動させた状態を示す図であり、（ｃ）は第２の操作メニューであり、（ｄ）は前記第２の操作メニューのカーソルを移動させた状態を示す図である。
【図３】本発明の第１の実施例を示す手持操作器の内部回路のブロック図である。
【図４】本発明の第２の実施例を示す手持操作器の平面図である。
【図５】従来技術による産業用ロボットの構成を示す構成図である。
【符号の説明】
【００１４】
１：マニピュレータ
２：制御盤
２ａ：入力部
２ｂ：表示部
３：手持操作器
３ａ：入力部
３ｂ：表示部 
４：表示部
５：入力部
６：把持部
７：十字カーソルキー
７ａ：上部
７ｂ：右部
７ｃ：下部
７ｄ：左部
８：選択キー
９：操作メニューの項目
１０：操作メニューの小項目
１１：速度調整ダイヤル
１２：中央演算部
１３：キー入力部
１４：カーソル制御部
１５：メニュー制御部
１６：表示制御部
【図１】
2005342891.tif 000003
【図２】
2005342891.tif 000004
【図３】
2005342891.tif 000005
【図４】
2005342891.tif 000006
【図５】
2005342891.tif 000007